(57)【特許請求の範囲】
【請求項１】
床板の周縁に立設された側壁及び左右の前壁と、これら側壁及び前壁の天井を塞ぐ天井板と、前記床板と前壁と天井板とで形成される乗降口を開閉するかごドアとを備え、少なくとも一方の前壁の内側に操作盤が設置され、この操作盤の操作信号に基づいて乗かごの運行動作を制御する制御箱が前記天井板に設置されているエレベータ用乗りかごにおいて、
前記操作盤の側壁にケーブル引き出し開口部を形成し、
前記操作盤の内方から外方へ突出するように、このケーブル引き出し開口部の前記操作盤外方側の上部及び側部を覆って下向きに開口する防水カバーを設け、前記防水カバーは、前記開口部の上辺とこれに続く左右の側辺に形成される鍔部を有し、前記鍔部の前記外周端部は前記開口部の前記上部および側部よりも大きく形成され、前記鍔部の下端両側には前記開口部の下縁に引っ掛かる係合部が形成され、前記防水カバーにおいて前記鍔部から延在する側板の下端部は前記係合部と前記開口部との係合部分よりも下に位置し、
前記操作盤からのケーブルを前記ケーブル引き出し開口部から一旦下向きに引き出した後、上向きに延在させて前記制御箱に接続したことを特徴とするエレベータ用乗かご。
【請求項２】
前記ケーブル引き出し開口部は、前記操作盤の側壁の上部に形成されていることを特徴とする請求項１記載のエレベータ用乗かご。
【請求項３】
前記ケーブル引き出し開口部は、前記操作盤の側壁に上下方向に複数形成されていることを特徴とする請求項１記載のエレベータ用乗かご。
【請求項４】
前記防水カバーは、前記操作盤の側壁の内側から前記ケーブル引き出し開口部を通して前記操作盤の外側に突出して取り付けられていることを特徴とする請求項１記載のエレベータ用乗かご。
【発明の詳細な説明】
【技術分野】
【０００１】
本発明はエレベータ用乗かごに係り、特に、乗かご内で各種操作を行う操作盤をかご室内に設置したエレベータ用乗かごに関する。
【背景技術】
【０００２】
一般に、エレベータ用乗かごは、図７〜図１１に示すように構成されている。即ち、エレベータ用乗かご1は、床板２と、この床板２の周縁に立設された側壁３及び左右の前壁４Ａ，４Ｂと、これら側壁３及び前壁４Ａ，４Ｂの天井を塞ぐ天井板５と、床板２と左右の前壁４Ａ，４Ｂと天井板５とで形成される乗降口を開閉するかごドア６Ａ，６Ｂと、でかご室が形成されている。
【０００３】
そして少なくとも一方の前壁４Ａの内側には操作盤７が設置され、この操作盤７の操作信号に基づいて乗かご１の運行動作を制御する制御箱８が天井板５の頂部に設置されている。これら操作盤７と制御箱８とは信号の授受を行うケーブル９で電気的に接続されている。
【０００４】
前記操作盤７は、図１１に示すように、乗かご１の運行状態などを表示する表示器７Ａ、非常時に外部と連絡を取るための連絡装置７Ｂ、行先階床登録や出入口戸の開閉を行う操作ボタン７Ｃ、エレベータ通常使用時は施錠した箱内に設置され保守作業時などに操作するスイッチ７Ｄなどを内部に設置しており、前記各部品の内部配線９Ａ〜９Ｄはコネクタ１０などを介してケーブル９へ接続されている。
【０００５】
このケーブル９は、図７に示すように、乗かご１に滴下した水滴や露結によって生じた水滴がケーブル９を伝わって操作盤７内に浸入しないように、操作盤７の下方に形成されたケーブル引き込み口９Ｍから下方に向かって引き出された後、１８０度方向転換させて上方に延在させて制御箱８内に引き込んで接続されている。
【０００６】
また、ケーブル９の配線長を短縮するために、図８に示すように、操作盤７の上方からケーブル９を引き出して制御箱８に接続する場合には、天井板５などの板材に設けられたケーブル引き込み口９Ｍは、図９及び図１０に示すように、ケーブル引き込み口９Ｍを塞ぐように、充填物１１を詰めたり（図９）、ゴムブッシュ１２等にケーブル９を貫通させたりして（図１０）、ケーブル９とケーブル引き込み口９Ｍとの間を塞ぐ部材を取り付けていた。
【０００７】
尚、関連する先行技術として、特許文献１が存在する。
【先行技術文献】
【特許文献】
【０００８】
【特許文献１】特開昭６１−２０６７７６号公報
【発明の概要】
【発明が解決しようとする課題】
【０００９】
前記背景技術で説明したように、従来においては、操作盤からケーブルを引き出す場合、水滴浸入防止策を講じなければならないが、乗かごの現地組み立ては昇降路内の限られた狭い作業空間内での作業となるので、水滴浸入防止作業は厄介となり、乗かごの組み立て作業に長時間を費やしていた。
【００１０】
本発明の目的は、操作盤からのケーブル引き出し部における水滴の侵入を簡単に防止することができるエレベータ用乗かごを提供することにある。
【課題を解決するための手段】
【００１１】
本発明は上記目的を達成するために、操作盤の側壁にケーブル引き出し開口部を形成し、操作盤の内方から外方へ突出するように、このケーブル引き出し開口部の操作盤外方側の上部及び側部を覆って下向きに開口する防水カバーを設け、防水カバーは、開口部の上辺とこれに続く左右の側辺に形成される鍔部を有し、鍔部の外周端部は開口部の上部および側部よりも大きく形成され、鍔部の下端両側には開口部の下縁に引っ掛かる係合部が形成され、防水カバーにおいて鍔部から延在する側板の下端部は係合部と開口部との係合部分よりも下に位置し、操作盤からのケーブルを前記ケーブル引き出し開口部から一旦下向きに引き出した後、上向きに延在させてかご室天井の制御箱に接続するようにしたのである。
【００１２】
このように構成することで、ケーブルを伝わってきた水滴はそのまま滴下し、また制御盤の側壁を伝わってきた水滴は防水カバーから滴下するので、ケーブル引き出し開口部からの水滴の侵入を防止できる。
【発明の効果】
【００１３】
本発明によれば、操作盤からのケーブル引き出し部における水滴の侵入を簡単に防止することができるエレベータ用乗かごを得ることができる。
【図面の簡単な説明】
【００１４】
【図１】本発明によるエレベータ用乗かごの概略を示す斜視図。
【図２】図１の乗かごに用いる防水カバーを示す斜視図。
【図３】図２の防水カバーの取付け方を示す取付け手順図。
【図４】図１のＡ部の拡大斜視図。
【図５】図４に示すケーブル引き出しの変形例を示す斜視図。
【図６】図５のケーブル引き出し例を適用した時のかご室内から見た操作盤を示す斜視図。
【図７】従来のエレベータ用乗かごの概略を示す斜視図。
【図８】別の従来のエレベータ用乗かごの概略を示す斜視図。
【図９】図８のエレベータ用乗かごのケーブル引込口を示す断面図。
【図１０】図８のエレベータ用乗かごの別のケーブル引込口を示す断面図。
【図１１】図７のエレベータ用乗かごの操作盤の内部配線図。
【発明を実施するための形態】
【００１５】
以下、本発明によりエレベータ用乗かごの一実施の形態を図１〜図４に基づいて説明する。尚、図７〜図１１の符号と同一符号は同一部品を示すので、詳細な説明は省略する。
【００１６】
本実施の形態においては、操作盤７からのケーブル９の引き出し部を操作盤７の側壁〜としたのである。
【００１７】
操作盤７は、図４に示すように、かご室を形成する側壁３に隣接する前壁４Ａを一部構成部材としており、この前壁４Ａの操作盤側壁となる部分にケーブル引き出し開口部１３を形成している。このケーブル引き出し開口部１３の大きさは、上下方向に増減させることで開口面積を調整している。
【００１８】
このケーブル引き出し開口部１３の外側（かご室の外側）の上方、側方、及び上方と側方の延在端である先端部を覆う防水カバー１４を設けている。この防水カバー１４は、図２に示すように、前記ケーブル引き出し開口部１３の上辺とこれに続く左右の側辺に形成したほぼ逆Ｕ字状の鍔部１４Ａと、この鍔部１４Ａの上辺とこれに続く左右の側辺から延在する頂板１４Ｂと左右の側板１４Ｃ，１４Ｄと、これら頂板１４Ｂと左右の側板１４Ｃ，１４Ｄとを延在端で閉じる先端板１４Ｅとから形成されている。このように形成することで、ケーブル引き出し開口部１３の上部及び側部を操作盤７の外方側を、操作盤７の内方から外方へ突出するように覆って下向きに開口する防水カバー１４が得られる。即ち、防水カバー１４の左右の側板１４Ｃ，１４Ｄの間隔Ｗは、少なくとも前記ケーブル引き出し開口部１３の左右の側辺の間隔以上に形成され、先端板１４Ｅまでの奥行寸法Ｈは引き出されるケーブル９の本数や屈曲性を考慮して余裕を持って形成されている。この側板１４Ｃ，１４Ｄの下端の間隔Ｗと奥行寸法Ｈの先端板１４Ｅとで開口１４Ｆが形成され、この開口１４Ｆが前記防水カバー１４の下向きに開口する部分となる。
【００１９】
このほか、防水カバー１４のほぼ逆Ｕ字状の鍔部１４Ａの下端両側には、段差Ｓの係合部１４Ｇが形成されている。この係合部１４Ｇは、操作盤７の内側から、図３の（ｂ）に示すように、ケーブル引き出し開口部１３の下縁に引っ掛け、この状態で引っ掛け部を支点として、図３の（ｃ）に示すように防水カバー１４を矢印方向に回動させ、その後、図３の（ｄ）に示すように、ほぼ逆Ｕ字状の鍔部１４Ａをケーブル引き出し開口部１３の周縁に押し付けて取り付けるための位置決めとなる。
【００２０】
さらに、防水カバー１４の鍔部１４Ａの上辺には、ねじ穴１４Ｈが形成され、このねじ穴１４Ｈを通して、図３の（ｄ）に示すように、ねじ１５を前壁４Ａにねじ込むことで、防水カバー１４を固定している。本構造では、防水カバー１４の下部は係合部１４Ｇの段差と鍔部１４Ａとにより挟持していることから、鍔部１４Ａの上部を１本のねじ１５にて締め付ける作業のみで固定が可能である。
【００２１】
尚、防水カバー１４を用いて操作盤７から引き出せるケーブル９の本数は、図２の間隔Ｗと奥行寸法Ｈに大きく影響を受ける。間隔Ｗと奥行寸法Ｈを、ともに大きくすれば引き出せるケーブル９の本数を多くすることは可能であるが、間隔Ｗを大きくしすぎると操作盤７を収納する前壁４Ａ奥行き寸法を大きくし、かご室内の床面積を減少させることになる。したがって，本実施の形態においては、防水カバー１４は奥行寸法Ｈを大きくすることで引き出せるケーブル９の本数を増加させている。
【００２２】
次に、ケーブル９の操作盤７からの引き出し方法を説明する。
【００２３】
まず、ケーブル９を、図３の（ａ）に示すように、操作盤７の側壁（前壁４Ａ）に形成したケーブル引き出し開口部１３から引き出し、次に前述の通り、図３の（ｂ）〜図３の（ｄ）に示す手順で防水カバー１４を取り付ける。その後、引き出したケーブル９を、図４に示すように、防水カバー１４の下方でＵ字状に１８０度方向転換させて上方に延在させる。そして上方に延在させたケーブル９の端部を、図１に示すように、制御箱８に接続するのである。
【００２４】
以上説明したように本実施の形態によれば、単に防水カバー１４の追加により水滴の操作盤７への侵入を防止することができる。即ち、操作盤７の外側のケーブル９を伝わって下がってきた水滴は、図４に示すケーブル９の下方に形成した屈曲部９Ｔで落下するために、ケーブル引き出し開口部１３に至ることはない。また、前壁４Ａを伝わって下がってきた水滴は、ケーブル引き出し開口部１３に侵入しようとする。しかし鍔部１４Ａはその外周端部が開口部１３の上部及び側部よりも大きく形成されて上部をねじ１５で締め付け固定されているため、水滴は開口部１３に至っても防水カバー１４の鍔部１４Ａを越えて前壁４Ａ内に入ることなく頂板１４Ｂ、側板１４Ｃ、１４Ｄ、先端板１４Ｅなどの周囲に沿ってかご室外側に滴下する。また係合部１４Ｇでは、開口部１３との係合部分より側板１４Ｃ，１４Ｄの下端部のほうが下に位置するように形成されているため、側板１４Ｃ，１４Ｄの周囲に沿って滴下した水滴は側板１４Ｃ，１４Ｄの下端部まで導かれて滴下されることが促進され、より開口部１３からの水滴の浸入防止の確実性を向上させている。また鍔部１４Ａと前壁４Ａの開口部１３のかご内側周辺とを密着させる構成とすれば、ケーブル引き出し開口部１３の内側側壁と防水カバー１４の鍔部１４Ａの間に水の浸入が防がれるようになり、やはり水滴の浸入防止の確実性を向上できる。
【００２５】
また、本実施の形態は、ケーブル９を操作盤７の上部側から引き出すことで、制御箱８までのケーブル長を短縮することができる。しかしながら、本実施の形態においては、防水カバー１４の設置位置は、操作盤７の側壁となる前壁４Ａであれば任意の位置に設置することができる。
【００２６】
ところで、ケーブル９は操作盤７に設置されている部品や機器の種類によってケーブル９を分散して引き出したほうがよい場合も存在する。その場合には、図５及び図６に示すように引き出すことが望ましい。尚、図５及び図６において、図１〜図４の符号と同一符号は同一構成部品を示すので、再度の詳細な説明は省略する。
【００２７】
即ち、本変形例において、防水カバーは操作盤７の側壁となる前壁４Ａの上部と下部に複数の防水カバー１４−１，１４−２を設置したのである。
【００２８】
このように複数の防水カバー１４−１，１４−２を設置することで、次のような問題を解消することができる。即ち、図１１に示すような従来のケーブル引き出し法では、一か所のケーブル引き出し部に集中するので、ケーブル９の誤接続や、集中したケーブル９を収納するために操作盤７をかご室内側に大きく突出させたりかご室外に前壁４Ａを大きく突出させたりしなければならない問題がある。しかしながら、本変形例によれば、操作盤７内の配線設計に自由度を持つことができる。具体的には図６に示すように、表示器７Ａ、連絡装置７Ｂの内部配線９Ａ，９Ｂは、コネクタ１０Ａ，１０Ｂを介して表示器７Ａと連絡装置７Ｂとの中間に設けたケーブル引き出し開口部１３Ａ及び防水カバー１４−１を通し、図５に示すように、ケーブル９ａとして引き出し、操作ボタン７Ｃとスイッチ７Ｄの内部配線９Ｃ，９Ｄは、コネクタ１０Ｃ，１０Ｄを介して操作ボタン７Ｃとスイッチ７Ｄとの中間に設けたケーブル引き出し開口部１３Ｂ及び防水カバー１４−２を通し、図５に示すように、ケーブル９ｂとして引き出すことで、操作盤７の内部の配線の一部集中を緩和することができ、誤接続の低減も図れる。
【００２９】
本変形例では、前記実施の形態と同じ効果を奏するほか、操作盤７の内部配線の集中を緩和できることから、内部配線の集中のために操作盤７をかご室内に突出させたり、かご室外に前壁４Ａを突出させたりする必要はなくなる。
【符号の説明】
【００３０】
１…エレベータ用乗かご、２…床板、３…側壁、４Ａ，４Ｂ…前壁、５…天井板、６Ａ，６Ｂ…かごド、７…操作盤、８…制御箱、９，９ａ，９ｂ…ケーブル、９Ａ〜９Ｄ…内部配線、１３，１３Ａ，１３Ｂ…ケーブル引き出し開口部、１４，１４−１，１４−２…防水カバー、１４Ａ…鍔部、１４Ｂ…頂板、１４Ｃ，１４Ｄ…側板、１４Ｅ…先端板、１４Ｆ…開口、１４Ｇ…係合部、１５…ねじ。
【図１】
0005546354.tif 000002
【図２】
0005546354.tif 000003
【図３】
0005546354.tif 000004
【図４】
0005546354.tif 000005
【図５】
0005546354.tif 000006
【図６】
0005546354.tif 000007
【図７】
0005546354.tif 000008
【図８】
0005546354.tif 000009
【図９】
0005546354.tif 000010
【図１０】
0005546354.tif 000011
【図１１】
0005546354.tif 000012